(57)【要約】【課題】縦方向に立設された手摺を確実に把持して安全な立ち座り動作を補助することができるようにした手摺装置を提供する。【解決手段】縦壁面Ｗに対して上下方向へ向けて固定される手摺本体１を備えた手摺装置において、上記手摺本体１を、その上端１２ａから下端１２ｂへ向けて次第に拡径変化するテーパー部１２と、該テーパー部１２の上端１２ａに連続する握り部７を備えた構成とする。係る構成によれば、人が握り部７を手で掴んだ場合、たとえ握力が乏しい人であって該握り部７から下に手が滑っても、該握り部７に連続する上記テーパー部１２に握り拳の下面側が掛止され、且つ下に向かうに伴って拡径しその掛止作用が増大することから、大きな握力を必要とすることなく手摺本体１を掴んで保持することができ、手摺本体１を使用しての立ち座り動作を安全且つ確実に行うことができる。【選択図】図１
2009007815.tif 000002
【特許請求の範囲】
【請求項１】
縦壁面（Ｗ）に対して上下方向へ向けて固定される手摺本体（１）を備えた手摺装置であって、
上記手摺本体（１）が、その上端（１２ａ）から下端（１２ｂ）へ向けて次第に拡径変化するテーパー部（１２）と、該テーパー部（１２）の上端（１２ａ）に連続する握り部（７）を備えていることを特徴とする手摺装置。
【請求項２】
請求項１において、
上記テーパー部（１２）の外周面には、軸方向に所定間隔で複数の周溝（１３）が形成されていることを特徴とする手摺装置。
【請求項３】
請求項１又は２において、
上記手摺本体（１）の上端部（１ａ）を上記縦壁面（Ｗ）に固定支持する上側支持具（２）の上面（２ａ）が、手摺使用者が手を付くことのできる手付き面とされていることを特徴とする手摺装置。
【請求項４】
請求項１又は２において、
上記手摺本体（１）の下端部（１ｂ）を上記縦壁面（Ｗ）に固定支持する下側支持具（３）が、その上面を肘付き面とした肘当て材（４）で構成されていることを特徴とする手摺装置。
【請求項５】
請求項４において、
上記肘当て材（４）の下面（４ａ）側にペーパホルダー（５）が取付けられていることを特徴とする手摺装置。
【発明の詳細な説明】
【技術分野】
【０００１】
本願発明は、例えば、家の玄関内の壁面に取付けられて人の立ち座り動作を補助するとか、トイレ内の壁面に取付けられて用便時の人の立ち座り動作を補助するに好適な手摺装置に関するものである。
【背景技術】
【０００２】
上述のようなさまざまな場所での人の立ち座り動作を補助する手摺装置としては、従来から種々の提案がなされている（例えば、特許文献１〜３参照）。
【０００３】
特許文献１に示されるものは、家の玄関内において、例えば、玄関の框部分に座った人がここから立ち上がる場合の動作を補助するために設けられた手摺であって、同径直棒状の手摺を縦方向に立設固定したものである。
【０００４】
特許文献２に示されるものは、トイレ内に設置されて、用便時の立ち座り動作を補助するもので、縦方向に立設された同径直棒状の手摺と該手摺の下部から水平方向へ向けて壁面に固定された肘付き台を備え、上記手摺を掴むとか、上記肘付き台に肘を付く等によって、立ち座り動作を容易としたものである。
【０００５】
特許文献３に示されるものは、楕円球状の握り部を所定間隔で連設した手摺であって、縦壁面に縦方向あるいは横方向へ向けて固定され、例えば、浴室壁面に取付けられたものにあっては、浴槽への出入り時とか浴槽内での立ち座り時にその動作を補助するものである。
【特許文献１】特開２００２−２８０３６号公報
【特許文献２】特開２０００−３１６７５９号公報
【特許文献３】特開２００７−７０９３６号公報。
【発明の開示】
【発明が解決しようとする課題】
【０００６】
ところで、横方向に設置された手摺を使用する場合には、体重を手摺に預ける必要性が少ないが、縦方向に立設された手摺を使用して立ち座り動作をする場合は、体重を手摺に預ける必要がある。従って、この縦方向に立設された手摺を使用する場合には、所要の握力が要求されるが、例えば、手摺を使用する者が高齢者であるような場合には、十分な握力が望めない。
【０００７】
このため、特許文献１あるいは特許文献２に示される手摺のような直棒状の手摺では、これを掴んでも体重を掛けた場合、手が滑ってしっかりと掴むことができないことが考えられる。また、特許文献３に示される手摺のように楕円球状の握り部が多数設けられたものでは、各握り部間には手の引っ掛かりとなる部分が存在するものの、握り部を掴んだとき該握り部が掌内にあり、しかも該握り部の下半部は下方に向かって次第に縮径変化する形体であることから、該握り部から手が滑り易く、たとえその下側に引っ掛かり部分があるとしても、ここに引っ掛かることなく、そのまま滑り落ちることが考えられる。
【０００８】
このように、従来の手摺装置においては、縦方向に立設された手摺を確実に把持して安全な立ち座り動作を補助するという点において改善の余地がある。
【０００９】
そこで、本願発明は、縦方向に立設された手摺を確実に把持して安全な立ち座り動作を補助することができるようにした手摺装置を提供することを目的としてなされたものである。
【課題を解決するための手段】
【００１０】
本願発明では、上記課題を解決するために以下のような構成を採用している。
【００１１】
本願の第１の発明では、縦壁面Ｗに対して上下方向へ向けて固定される手摺本体１を備えた手摺装置において、上記手摺本体１が、その上端１２ａから下端１２ｂへ向けて次第に拡径変化するテーパー部１２と、該テーパー部１２の上端１２ａに連続する握り部７を備えていることを特徴としている。
【００１２】
本願の第２の発明では、上記第１の発明に係る手摺装置において、上記テーパー部１２の外周面に、軸方向に所定間隔で複数の周溝１３を形成したことを特徴としている。
【００１３】
本願の第３の発明では、上記第１又は第２の発明に係る手摺装置において、上記手摺本体１の上端部１ａを上記縦壁面Ｗに固定支持する上側支持具２の上面２ａを、手摺使用者が手を付くことのできる手付き面としたことを特徴としている。
【００１４】
本願の第４の発明では、上記第１又は第２の発明に係る手摺装置において、上記手摺本体１の下端部１ｂを上記縦壁面Ｗに固定支持する下側支持具３を、その上面を肘付き面とした肘当て材４で構成したことを特徴としている。
【００１５】
本願の第５の発明では、上記第４の発明に係る手摺装置において、上記肘当て材４の下面４ａ側にペーパホルダー５を取付けたことを特徴としている。
【発明の効果】
【００１６】
本願発明では次のような効果が得られる。
（ａ−１）本願の第１の発明に係る手摺装置によれば、縦壁面Ｗに対して上下方向へ向けて固定される手摺本体１を備えた手摺装置において、上記手摺本体１が、その上端１２ａから下端１２ｂへ向けて次第に拡径変化するテーパー部１２と、該テーパー部１２の上端１２ａに連続する握り部７を備えているので、人が上記握り部７を手で掴んだ場合、たとえ握力が乏しい人であって上記握り部７から下に手が滑ったとしても、該握り部７に連続する上記テーパー部１２に握り拳の下面側が掛止され、且つ下に向かうに伴って拡径しその掛止作用が増大するため、大きな握力を必要とすることなく上記手摺本体１を掴んで保持することができ、その結果、上記手摺本体１を使用しての立ち座り動作を安全且つ確実に行うことができ、特に近年の高齢者社会の到来に鑑みれば極めて有用である。
（ａ−２）また、上記手摺本体１の上記握り部７の下側に連続する上記テーパー部１２が、その上端１２ａから下端１２ｂへ向けて次第に拡径変化する形体であって、該テーパー部１２の上下方向の何れの部位を掴んでも上述の掛止作用が得られることから、手摺機能の確保という面において、上記手摺本体１の縦壁面Ｗに対する取付高さの任意性が高く、手摺装置の設置作業の容易迅速化が図られる。
（ａ−３）さらに、上記（ａ−２）に記載の事項に付随して、例えば、上記手摺本体１の取付高さを、これを使用する頻度の高い者が使用するに最適な高さ位置に合せて（例えば、その者が最も掴み易い高さに上記握り部７が位置するように）設定した場合であっても、その者以外の者は、例え上記握り部７が掴みにくくても、上記テーパー部１２の掴み易い部分を掴むことで、上記握り部７を掴んだ場合と同様に上記（ａ−１）に記載の作用効果を得ることができ、その結果、手摺装置の汎用性が向上し、延いてはその商品価値が高められることになる。
（ｂ）本願の第２の発明に係る手摺装置によれば、上記テーパー部１２の外周面に、軸方向に所定間隔で複数の周溝１３を形成しているので、該周溝１３の掛止作用によって、上記（ａ）に記載の効果がより一層確実ならしめられる。
【００１７】
また、上記周溝１３が意匠的な側面をもつことから、上記手摺本体１の美観性が向上し、延いては手摺装置の商品価値の向上が期待できる。
（ｃ）本願の第３の発明に係る手摺装置によれば、上記（ａ）又は（ｂ）に記載の効果に加えて次のような特有の効果が得られる。即ち、この発明では、上記手摺本体１の上端部１ａを上記縦壁面Ｗに固定支持する上側支持具２の上面２ａを、手摺使用者が手を付くことのできる手付き面としているので、上記手摺本体１を掴んでこれを立ち座り動作の補助具として利用できるのに加えて、上記上側支持具２の上面２ａに手をついて体重を支えることで該上側支持具２を人の立ち座り動作の補助具として活用でき、これらの相乗効果として、特に握力に乏しい人でもその立ち座り動作を安全且つ確実に行うことができ、手摺装置全体としての有用性がさらに増大する。
（ｄ）本願の第４の発明に係る手摺装置によれば、上記（ａ）又は（ｂ）に記載の効果に加えて次のような特有の効果が得られる。即ち、この発明では、上記手摺本体１の下端部１ｂを上記縦壁面Ｗに固定支持する下側支持具３を、その上面３ａを肘付き面とした肘当て材４で構成しているので、上記手摺本体１を掴んでこれを立ち座り動作の補助具として利用できるのに加えて、上記下側支持具３の上面３ａに肘をついて体重を支えることで該下側支持具３を人の立ち座り動作の補助具として活用でき、これらの相乗効果として、特に握力に乏しい人でもその立ち座り動作を安全且つ確実に行うことができ、手摺装置全体としての有用性がさらに増大する。
（ｅ）本願の第５の発明に係る手摺装置によれば、上記（ｄ）に記載の効果に加えて次のような特有の効果が得られる。即ち、この発明では、上記肘当て材４の下面４ａ側にペーパホルダー５を取付けているので、例えば、ペーパホルダー５を手摺装置と別個に壁面に取付ける場合に比して、コンパクトな構成でトイレ用の手摺装置として有効に機能させることができ、手摺装置の汎用性及び有用性がさらに向上することになる。
【発明を実施するための最良の形態】
【００１８】
以下、本願発明を好適な実施形態に基づいて具体的に説明する。
Ａ：第１の実施形態
図１〜図３には、本願発明の第１の実施形態に係る手摺装置Ｚ１を示している。この手摺装置Ｚ１は、所定長さの直棒状の手摺本体１を、該手摺本体１の上端部１ａを壁面Ｗに固定支持させるための上側支持具２と、該手摺本体１の下端部１ｂを壁面Ｗに固定支持させるための下側支持具３を備えて構成される。
Ａ−１：手摺本体１
上記手摺本体１は、木製の棒状体で構成されるものであって、その上端部１ａから中段部１ｃにかけての部分は、該上端部１ａ側から上記中段部１ｃに向けて次第に縮径変化する第１テーパー部１１とされる一方、上記中段部１ｃから上記下端部１ｂにかけての部分は、該中段部１ｃから下端部１ｂに向けて次第に拡径変化する第２テーパー部１２（特許請求の範囲における「テーパー部１２」に該当する）とされ、さらに上記中段部１ｃは弧状周面をもつ握り部７とされている。
【００１９】
さらに、上記第１テーパー部１１の上端側には同径直棒状の上側同径部１５が、また上記第２テーパー部１２の下端側には下側同径部１６が、それぞれ設けられている。
【００２０】
一方、上記第２テーパー部１２の外周面には、所定溝は場合をもって周方向へ延びる周溝１３が、上記第２テーパー部１２の軸方向に所定間隔で複数個形成されている。
【００２１】
また、上記握り部７は人が把持し易い径寸法に設定されており、上記手摺本体１において最も細径とされることから、該握り部７部分の強度性能を確保すべく、上記手摺本体１の上記手摺本体１の上記上側同径部１５から上記第２テーパー部１２の上部近傍にかけての範囲の軸心部には、その上端が上記上側同径部１５の上面から所定寸法だけ上方へ延出した状態で、寸切ボルトで構成される芯材６が埋設されている。
Ａ−２：上側支持具２
上記上側支持具２は、先端部分を円弧状周面とした所定厚さの木製ブロック体で構成せれ、その下面２ｂにはその幅方向中央部を長手方向に延びる凹部２０が形成され、該凹部２０にはＬ形に折曲形成された固定金具２１が嵌合可能とされる。
【００２２】
一方、上記上側支持具２の上面２ａ側には、所定径の凹穴１９が形成されており、該凹穴１９内には上記手摺本体１側に設けられた芯材６の上端部分が進入可能とされる。また、この凹穴１９の開口端側にはキャップ２３が嵌合される。
Ａ−３：下側支持具３
上記下側支持具３は、所定長さの有底筒体でなり且つその底部には穴３７が設けられた支持体３１と、該支持体３１内に嵌挿される連結ピン３２を備えて構成される。上記連結ピン３２は、上記支持体３１内に嵌挿可能な径寸法をもつピン体で構成され、その一端側にはネジ部３３が突設されるとともに、他端側には周溝３４が設けられている。そして、この連結ピン３２は、上記手摺本体１の下端部１ｂに対して上記ネジ部３３を捩じ込むことで、該手摺本体１側に取付けられる。
Ａ−４：手摺本体１の設置
上記手摺本体１の壁面Ｗへの取付けに際しては、先ず、上記壁面Ｗの上下の所定位置に、上記上側支持具２側の上記固定金具２１を固定ボルト２２によって、上記下側支持具３側の上記支持体３１を固定ボルト３６によって、それぞれ固定する。また、上記手摺本体１には、上記連結ピン３２を取付けておく。
【００２３】
そして、先ず、上記手摺本体１の下端部１ｂに取付けた上記連結ピン３２を、壁面Ｗに取付けられている上記支持体３１に嵌挿し、これら両者を止ネジ３５によって抜け止め固定する。
【００２４】
次に、上記手摺本体１の上端に上記上側支持具２を、該上側支持具２の下面２ｂの凹部２０に上記固定金具２１を嵌合させながら配置し、該上側支持具２側の上記凹穴１９内に上記手摺本体１の上端面上に延出している上記芯材６の端部を進入させ、これをナット２４によって締結固定する。これで、上記手摺本体１が壁面Ｗ側に取付けられ、手摺装置Ｚ１が得られる。
【００２５】
尚、この設置手順は一例であって、本願発明がこの設置手順によって限定されないことは言うまでも無い。
【００２６】
このようにして取付けられた手摺装置Ｚ１によれば、上記手摺本体１が、その上端１２ａから下端１２ｂへ向けて次第に拡径変化するテーパー部１２と、該テーパー部１２の上端１２ａに連続する握り部７を備えているので、人が上記握り部７を手で掴んだ場合、たとえ握力が乏しい人であって上記握り部７から下に手が滑っても、該握り部７に連続する上記テーパー部１２に握り拳の下面側が掛止され、且つ下に向かうに伴って拡径しその掛止作用が増大することから、大きな握力を必要とすることなく上記手摺本体１を掴んで保持することができ、該手摺本体１を使用しての立ち座り動作を安全且つ確実に行うことができ、特に高齢者社会における手摺装置Ｚ１として極めて有用である。
【００２７】
また、上記手摺本体１の上記握り部７の下側に連続する上記第２テーパー部１２が、その上端１２ａから下端１２ｂへ向けて次第に拡径変化する形体であって、該第２テーパー部１２の上下方向の何れの部位を掴んでも上述の掛止作用が得られることから、手摺機能の確保という面において、上記手摺本体１の縦壁面Ｗに対する取付高さの任意性が高く、従って、手摺装置Ｚ１の設置作業の容易且つ迅速化が図られる。
【００２８】
さらに、上記第２テーパー部１２はその上下方向の何れの部位を掴んでも上述の掛止作用が得られることから、例えば、上記手摺本体１の取付高さを、これを使用する頻度の高い者が使用するに最適な高さ位置に合せて、その者が最も掴み易い高さに上記握り部７が位置するように設定した場合であっても、その者以外の者は、例え上記握り部７が掴みにくくても、上記第２テーパー部１２の掴み易い部分を掴むことで、上記握り部７を掴んだ場合と同様に、大きな握力を必要とすることなく上記手摺本体１を掴んで保持し、立ち座り動作を安全且つ確実に行うことができ、この結果、手摺装置Ｚ１の汎用性が向上し、延いてはその商品価値が高められることになる。
【００２９】
一方、上記第２テーパー部１２の外周面に、軸方向に所定間隔で複数の周溝１３を形成しているので、該周溝１３の掛止作用によって、上記効果がより一層確実ならしめられる。また、上記周溝１３が意匠的な側面をもつことから、上記手摺本体１の美観性が向上し、延いては手摺装置の商品価値の向上が期待できる。
【００３０】
さらに、この手摺装置Ｚ１では、上記上側支持具２の上面２ａを、手摺使用者が手を付くことのできる手付き面としているので、上記手摺本体１を掴んでこれを立ち座り動作の補助具として利用できるのに加えて、上記上側支持具２の上面２ａに手をついて体重を支えることで該上側支持具２を人の立ち座り動作の補助具として活用でき、これらの相乗効果として、特に握力に乏しい人でもその立ち座り動作を安全且つ確実に行うことができ、手摺装置Ｚ１全体としての有用性がさらに増大することになる。
Ｂ：第２の実施形態
図４〜図６には、本願発明の第２の実施形態に係る手摺装置Ｚ２を示している。この手摺装置Ｚ２は、所定長さの直棒状の手摺本体１を、該手摺本体１の上端部１ａを壁面Ｗに固定支持させるための上側支持具２と、該手摺本体１の下端部１ｂを壁面Ｗに固定支持させるための下側支持具３を備えて構成される。
Ｂ−１：手摺本体１
上記手摺本体１は、木製の棒状体で構成されるものであって、その上端部１ａから中段部１ｃにかけての部分は、該上端部１ａ側から上記中段部１ｃに向けて次第に縮径変化する第１テーパー部１１とされる一方、上記中段部１ｃから上記下端部１ｂにかけての部分は、該中段部１ｃから下端部１ｂに向けて次第に拡径変化する第２テーパー部１２（特許請求の範囲における「テーパー部１２」に該当する）とされ、さらに上記中段部１ｃは弧状周面をもつ握り部７とされている。
【００３１】
さらに、上記第１テーパー部１１の上端側には同径直棒状の上側同径部１５が、また上記第２テーパー部１２の下端側には下側同径部１６が、それぞれ設けられるとともに、該下側同径部１６の下端側には小径の突出部１４が設けられている。
【００３２】
一方、上記第２テーパー部１２の外周面には、所定溝は場合をもって周方向へ延びる周溝１３が、上記第２テーパー部１２の軸方向に所定間隔で複数個形成されている。
【００３３】
また、上記握り部７は人が把持し易い径寸法に設定されており、上記手摺本体１において最も細径とされることから、該握り部７部分の強度性能を確保すべく、上記手摺本体１の上記手摺本体１の上記上側同径部１５から上記第２テーパー部１２の上部近傍にかけての範囲の軸心部には、その上端が上記上側同径部１５の上面から所定寸法だけ上方へ延出した状態で、寸切ボルトで構成される芯材６が埋設されている。
Ｂ−２：上側支持具２
上記上側支持具２は、先端部分を円弧状周面とした所定厚さの木製ブロック体で構成せれ、その下面２ｂにはその幅方向中央部を長手方向に延びる凹部２０が形成され、該凹部２０にはＬ形に折曲形成された固定金具２１が嵌合可能とされる。
【００３４】
一方、上記上側支持具２の上面２ａ側には、所定径の凹穴１９が形成されており、該凹穴１９内には上記手摺本体１側に設けられた芯材６の上端部分が進入可能とされる。また、この凹穴１９の開口端側にはキャップ２３が嵌合される。
Ｂ−３：下側支持具３
上記下側支持具３は、上述のように上記手摺本体１の下端部１ｂ側を壁面Ｗに固定支持するものであるが、特にこの実施形態では、該下側支持具３に手摺本体１の固定機能の他に、肘付き機能をもたせることとし、そのため上記下側支持具３を肘当て材４で構成している。
【００３５】
上記肘当て材４は、所定の幅寸法をもつ長矩形の木製板状体で構成され、その上面４ａを肘付き面としている。また、この肘当て材４の長手方向の両端部には、上記手摺本体１の突出部１４が嵌合される嵌合穴４１がそれぞれ設けられるとともに、その下面側にはＬ形に折曲形成された固定金具４２が止ネジ４３によって固定されるようになっている。
【００３６】
さらに、上記肘当て材４の下面４ｂには、ペーパホルダー５が締着固定されるようになっている。
Ｂ−４：手摺本体１の設置
上記手摺本体１の壁面Ｗへの取付けに際しては、先ず、上記壁面Ｗの上下の所定位置に、上記上側支持具２側の上記固定金具２１を固定ボルト２２によって、上記下側支持具３側の上記固定金具４２を止ネジ４３によって、それぞれ固定する。
【００３７】
そして、先ず、上記下側支持具３側の左右一対の上記固定金具４２上に上記肘当て材４を載置し、これを止ネジ４３によって固定する。さらに、上記肘当て材４の上記嵌合穴４１に、上記手摺本体１の突出部１４を嵌合させ、これを止ネジ４３によって上記固定金具４２側に固定する。
【００３８】
次に、上記手摺本体１の上端に上記上側支持具２を、該上側支持具２の下面２ｂの凹部２０に上記固定金具２１を嵌合させながら配置し、該上側支持具２側の上記凹穴１９内に上記手摺本体１の上端面上に延出している上記芯材６の端部を進入させ、これをナット２４によって締結固定する。
【００３９】
最後に、上記肘当て材４の下面４ｂ側に上記ペーパホルダー５を固定する。これで、上記手摺本体１が壁面Ｗ側に取付けられ、手摺装置Ｚ２が得られる。
【００４０】
尚、この設置手順は一例であって、本願発明がこの設置手順によって限定されないことは言うまでも無い。
【００４１】
このようにして取付けられた手摺装置Ｚ２によれば、上記手摺本体１が、その上端１２ａから下端１２ｂへ向けて次第に拡径変化するテーパー部１２と、該テーパー部１２の上端１２ａに連続する握り部７を備えているので、人が上記握り部７を手で掴んだ場合、たとえ握力が乏しい人であって上記握り部７から下に手が滑っても、該握り部７に連続する上記テーパー部１２に握り拳の下面側が掛止され、且つ下に向かうに伴って拡径しその掛止作用が増大することから、大きな握力を必要とすることなく上記手摺本体１を掴んで保持することができ、該手摺本体１を使用しての立ち座り動作を安全且つ確実に行うことができ、特に高齢者社会における手摺装置Ｚ２として極めて有用である。
【００４２】
また、上記手摺本体１の上記握り部７の下側に連続する上記第２テーパー部１２が、その上端１２ａから下端１２ｂへ向けて次第に拡径変化する形体であって、該第２テーパー部１２の上下方向の何れの部位を掴んでも上述の掛止作用が得られることから、手摺機能の確保という面において、上記手摺本体１の縦壁面Ｗに対する取付高さの任意性が高く、従って、手摺装置Ｚ２の設置作業の容易且つ迅速化が図られる。
【００４３】
さらに、上記第２テーパー部１２はその上下方向の何れの部位を掴んでも上述の掛止作用が得られることから、例えば、上記手摺本体１の取付高さを、これを使用する頻度の高い者が使用するに最適な高さ位置に合せて、その者が最も掴み易い高さに上記握り部７が位置するように設定した場合であっても、その者以外の者は、例え上記握り部７が掴みにくくても、上記第２テーパー部１２の掴み易い部分を掴むことで、上記握り部７を掴んだ場合と同様に、大きな握力を必要とすることなく上記手摺本体１を掴んで保持し、立ち座り動作を安全且つ確実に行うことができ、この結果、手摺装置Ｚ２の汎用性が向上し、延いてはその商品価値が高められることになる。
【００４４】
さらに、この手摺装置Ｚ２では、上記上側支持具２の上面２ａを、手摺使用者が手を付くことのできる手付き面とするとともに、上記下側支持具３を構成する上記肘当て材４の上面３ａを肘付き面としているので、上記手摺本体１を掴んでこれを立ち座り動作の補助具として利用できるのに加えて、上記上側支持具２の上面２ａに手をついて体重を支えることで該上側支持具２を人の立ち座り動作の補助具として活用できるとともに、上記肘当て材４の上面４ａに肘をついて体重を支えることで該肘当て材４を人の立ち座り動作の補助具として活用できることから、これらの相乗効果として、特に握力に乏しい人でもその立ち座り動作を安全且つ確実に行うことができ、手摺装置Ｚ２全体としての有用性がさらに増大する。
【００４５】
この場合、上記第２テーパー部１２の外周面に、軸方向に所定間隔で複数の周溝１３を形成しているので、該周溝１３の掛止作用によって、上記効果がより一層確実ならしめられる。また、上記周溝１３が意匠的な側面をもつことから、上記手摺本体１の美観性が向上し、延いては手摺装置の商品価値の向上が期待できる。
【００４６】
さらに、この実施形態の手摺装置Ｚ２では、上記肘当て材４の下面４ａ側にペーパホルダー５を取付けているので、例えば、ペーパホルダー５を手摺装置と別個に壁面に取付ける場合に比して、コンパクトな構成でトイレ用の手摺装置として有効に機能させることができ、手摺装置Ｚ２の汎用性及び有用性がさらに向上することになる。
Ｃ：その他
上記各実施形態では、上記手摺本体１を、視覚的及び触感的なソフト感、及び意匠面を考慮して、木製としているが、本願発明はこれに限定されるものではなく、他の実施形態においては、木製とするのに代えて、例えば、樹脂製、金属製等の種々の材質を選択できるものである。
【図面の簡単な説明】
【００４７】
【図１】本願発明の第１の実施形態に係る手摺装置の斜視図である。
【図２】図１に示した手摺装置の分解斜視図である。
【図３】図１に示した手摺装置の壁面への取付状態における側面図である。
【図４】本願発明の第２の実施形態に係る手摺装置の斜視図である。
【図５】図４に示した手摺装置の分解斜視図である。
【図６】図４に示した手摺装置の壁面への取付状態における側面図である。
【符号の説明】
【００４８】
１    ・・手摺本体
２    ・・上側支持具
３    ・・下側支持具
４    ・・肘当て材
５    ・・ペーパホルダー
６    ・・芯材
１１    ・・第１テーパー部
１２    ・・第２テーパー部
１３    ・・周溝
１４    ・・突出部
２０    ・・凹部
２１    ・・固定金具
２２    ・・固定ボルト
２３    ・・キャップ
３１    ・・支持体
３２    ・・連結ピン
３３    ・・ネジ部
３４    ・・周溝
３５    ・・止ネジ
３６    ・・固定ボルト
３７    ・・穴
４１    ・・嵌合穴
４２    ・・固定金具
４３    ・・止ネジ
４５    ・・キャップ
Ｚ１    ・・手摺装置
Ｚ２    ・・手摺装置
【図１】
2009007815.tif 000003
【図２】
2009007815.tif 000004
【図３】
2009007815.tif 000005
【図４】
2009007815.tif 000006
【図５】
2009007815.tif 000007
【図６】
2009007815.tif 000008